(57)【要約】【課題】  この発明は、被検者に使用するイヤーロッドを簡単に消毒できると共に、無駄な廃棄を無くした頭部固定装置を提供することを目的とする。【解決手段】  この発明の頭部固定装置は、被検者の両側頭部にそれぞれ近接、離反可能に設けられる一対の支持アーム９０と、支持アーム９０の遊端部にそれぞれ固定されたロッドベース９２と、ロッドベース９２に取り外し自在に装着され被検者の外耳孔に挿入されるイヤーロッド９４と、を備え、イヤーロッド９４は、被検者の動きを規制する強度でロッドベース９２に装着されると共に、イヤーロッド９４に所定の負荷以上の負荷がかかるとロッドベース９２からイヤーロッド９４が脱落する。【選択図】    図６
2015037708.tif 000002
【特許請求の範囲】
【請求項１】
被検者の両側頭部にそれぞれ近接、離反可能に設けられる一対の支持アームと、
前記支持アームの遊端部にそれぞれ固定されたロッドベースと、
前記ロッドベースに取り外し自在に装着され被検者の外耳孔に挿入されるイヤーロッドと、を備え、
前記イヤーロッドは、被検者の動きを規制する強度で前記ロッドベースに装着されると共に、前記イヤーロッドに所定の負荷以上の負荷がかかるとロッドベースから前記イヤーロッドが脱落することを特徴とする頭部固定装置。
【請求項２】
前記ロッドベースのイヤーロッド側は、イヤーロッド側に向かってテーパ状に広がるフランジ部を有し、前記イヤーロッドの基部は、前記フランジ部と係合するテーパ部が形成されていることを特徴とする請求項１に記載の頭部固定装置。
【請求項３】
前記ロッドベースのフランジ部に溝が設けられ、この溝に摩擦係数が大きいリングが装着され、このリングを含めたロッドベースの上に前記イヤーロッドが装着されることを特徴とする請求項１に記載の頭部固定装置。
【請求項４】
前記ロッドベースは同径のフランジ部に形成され、このフランジ部に前記イヤーロッドが装着され、リングで前記イヤーロッドをフランジ部側へ押し付けることを特徴とする請求項１に記載の頭部固定装置。
【請求項５】
前記イヤーロッドは、煮沸消毒が可能な材料で形成されていることを特徴とする請求項１ないし請求項４のいずれか１項に記載の頭部固定装置。
【発明の詳細な説明】
【技術分野】
【０００１】
この発明は、歯科用のＸ線撮影装置等に用いられる頭部固定装置等に関し、特に、歯科領域で主にＸ線撮影に対して、規格性及び再現性の確保を目的とする頭部Ｘ線規格撮影装置の他、頭部規格写真撮影装置に用いて安全で好適な撮影を行うためのＸ線撮影または写真撮影用の頭部固定装置に関するものである。
【背景技術】
【０００２】
歯科矯正治療や口腔外科治療においては、顔面の左右対称性、咬合状態を分析するのに頭部Ｘ線規格撮影（セファロＸ線撮影）が不可欠である。あるいは、被検者の術前、術中、術後等の外貌の写真を撮影するために頭部規格写真撮影装置が用いられる場合がある。これらの撮影では、治療計画や同一被検者の経過観察を行うために再現性がある撮影装置が用いられる。このような装置においては、被検者の頭部を固定するＸ線頭部固定装置が用いられる。
【０００３】
Ｘ線撮影用頭部固定装置は、セファロＸ線撮影以外にも歯科用パノラマ断層撮影、断層撮影、ＣＴ撮影、頭部規格写真撮影等に用いられている。近年、これらの撮影する装置は、それぞれの装置単体だけでなく、兼用装置として、これらの装置の一部または全部の機能を有する兼用型装置が用いられている。
【０００４】
これらの撮影装置に用いられる頭部固定装置は、被検者の頭部を確実に位置決めして固定するために、被検者の左右の外耳孔にイヤーロッド（耳棹）を挿入するものが多く用いられている。例えば、被検者の頭部を撮影部位などに適した任意の姿勢に良好な操作性で固定するＸ線撮影用の頭部固定装置が提案されている（特許文献１参照）（特許文献２参照）。
【０００５】
図１６は、典型的な頭部固定装置１０１を模式的に示す側面図である。この頭部固定装置１０１は、概略的に、左右一対の側頭部押さえ部材１０２と、チンレスト１０３と、案内手段１０４と、を含む。この頭部固定装置１０１は、一対の側頭部押さえ部材(イヤー
ロッドアーム)１０２が相互に離反された状態で被検者はこの側頭部押さえ部材１０２間
に頭を配置し、この側頭部押さえ部材１０２が相互に近接させ、その遊端部１０２ａにそれぞれ設けられた突起状のイヤーロッド１０５が外耳孔に嵌め込まれて被検者の位置決めが行われる。この状態で、チンレスト１０３の載置部１０３ａに被検者の下顎が載置されるように、チンレスト１０３の本体が矢印１０６方向に移動され、案内手段１０４によって矢印１０７方向に移動される。また、規格性及び再現性の確保を重要視する場合には、更に、被検者の眉間(ナジオン)または前頭部を押させるパッドを設け、イヤーロッド、チンレスト、パッドの３点で固定する場合が多い。
【０００６】
このようにして、下顎を位置決めして、被検者を固定した後、セファロ撮影、パノラマ撮影或いは断層撮影が行われる。
【０００７】
ところで、上記した被検者の外耳孔に嵌め込まれるイヤーロッドは、図１７及び図１８に示すように、発泡剤からなるコア材１２０をＸ線透過性が高い炭素繊維強化プラスチック板１２１で挟んだイヤーロッドアームの遊端部１０２ａに、メタクリル等の透明合成樹脂で形成されたイヤーロッド１０５が接着固定されている。また、特許文献２には、イヤーロッドアームの材質がメタクリル等の透明合成樹脂で、その遊端部に前記と同様のメタクリル等の透明合成樹脂で形成されたイヤーロッドが接着固定された頭部固定装置が提案されている。
【先行技術文献】
【特許文献】
【０００８】
【特許文献１】特開平７−２７５２３９号公報
【特許文献２】特開２００６−１１６０５１号公報
【発明の概要】
【発明が解決しようとする課題】
【０００９】
上記したイヤーロッドは、被検者の外耳孔に嵌め込まれるため、被検者が変わる毎に、消毒することが望まれる。しかし、イヤーロッドは、イヤーロッドアームに接着固定されているため、消毒するためには、アルコールで拭くなどの方法しかなく、隅々まで消毒するのには、手間がかかるという難点がある。
【００１０】
一方、イヤーロッドにゴムなどのカバーを取り付けるものもあるが、被検者毎にカバーを廃棄することになり、廃棄物が増えあまり好ましくはない。
【００１１】
この発明は、上記した従来の問題点を解消するためになされたものにして、被検者に使用するイヤーロッドを簡単に消毒できると共に、無駄な廃棄を無くした規格性の高い頭部固定装置を提供することを目的とする。
【課題を解決するための手段】
【００１２】
この発明の頭部固定装置は、被検者の両側頭部にそれぞれ近接、離反可能に設けられる一対の支持アームと、前記支持アームの遊端部にそれぞれ固定されたロッドベースと、前記ロッドベースに取り外し自在に装着され被検者の外耳孔に挿入されるイヤーロッドと、を備え、前記イヤーロッドは、被検者の動きを規制する強度で前記ロッドベースに装着されると共に、前記イヤーロッドに所定の負荷以上の負荷がかかるとロッドベースから前記イヤーロッドが脱落することを特徴とする。
【００１３】
また、前記ロッドベースのイヤーロッド側は、イヤーロッド側に向かってテーパ状に広がるフランジ部を有し、前記イヤーロッドの基部は、前記フランジ部と係合するテーパ部が形成されているように構成できる。
【００１４】
また、前記ロッドベースのフランジ部に溝が設けられ、この溝に摩擦係数が大きいリングが装着され、このリングを含めたロッドベースの上に前記イヤーロッドが装着されるように構成することができる。
【００１５】
また、前記ロッドベースは同径のフランジ部に形成され、このフランジ部に前記イヤーロッドが装着され、リングで前記イヤーロッドをフランジ部側へ押し付けるように構成することができる。
【００１６】
更に、前記イヤーロッドは、煮沸消毒が可能な材料で形成するとよい。
【発明の効果】
【００１７】
この発明は、支持アームにイヤーロッドが取り外し自在に装着されているので、イヤーロッドを取り外して消毒が容易に行える。
【００１８】
例えば、煮沸消毒等により消毒されたイヤーロッドを支持アームに装着することにより、被検者に対しては消毒された清潔なイヤーロッドが外耳孔に挿入することができ、衛生的にも優れる。
【００１９】
また、使用後は、イヤーロッドを支持アームから取り外し、その後、煮沸消毒等を行えば、廃棄することなく再利用ができ、経済的である。
【００２０】
更に、使用時に、負荷が１Ｋｇ程度かかると、イヤーロッドは支持アームから脱落するように構成されているので、突発的な事例が生じた場合に於いても、イヤーロッドが外れ、被検者にダメージを与えることがない。
【図面の簡単な説明】
【００２１】
【図１】この発明に係わる頭部固定装置を有するＸ線パノラマ／ＣＴ撮影装置の実施形態の全体を示す正面図である。
【図２】この発明に係わる頭部固定装置を有するＸ線パノラマ／ＣＴ撮影装置の実施形態の全体を示す側面図である。
【図３】この発明に係わる頭部固定装置を有するＸ線パノラマ／ＣＴ撮影装置の実施形態の全体を示す平面図である。
【図４】この発明に係わるイヤーロッドを用いたセファロ撮影用の頭部固定装置を示す正面図である。
【図５】この発明に係わるイヤーロッドを用いたセファロ撮影用の頭部固定装置を示す側面図である。
【図６】この発明の第１の実施形態に係るイヤーロッド部分を示す断面図である。
【図７】この発明の第１の実施形態に係るイヤーロッド部分を示す平面図である。
【図８】この発明の第１の実施形態に係るイヤーロッド部分からイヤーロッドが外れる状態を示す断面図である。
【図９】この発明に係わるイヤーロッドを用いたパノラマ撮影用の頭部固定装置を示す平面図である。
【図１０】この発明に係わるイヤーロッドを用いたパノラマ撮影用の頭部固定装置を示す側面図である。
【図１１】この発明の第２の実施形態に係るイヤーロッド部分を示す断面図である。
【図１２】この発明の第３の実施形態に係るイヤーロッド部分を示す断面図である。
【図１３】この発明の第４の実施形態に係るイヤーロッド部分を示す断面図である。
【図１４】この発明に係わるイヤーロッドを用いた頭部規格写真撮影装置の平面図である。
【図１５】この発明に係わるイヤーロッドを用いた頭部規格写真撮影装置の側面図である。
【図１６】従来の頭部固定装置を模式的に示す側面図である。
【図１７】従来の頭部固定装置に用いられるイヤーロッド部分を示す断面図である。
【図１８】従来の頭部固定装置に用いられるイヤーロッド部分を示す平面図である。
【発明を実施するための形態】
【００２２】
頭部固定装置を用いてＸ線撮影するＸ線撮影装置について、図面を参照しながら詳細に説明する。なお、図中同一または相当部分には同一符号を付し、説明の重複を避けるためにその説明は繰返さない。
【００２３】
図１ないし図３に示すＸ線撮影装置は、頭部固定装置を有するコーンビームＸ線と、短冊状のパノラマ用Ｘ線の両方を使用するＦＰＤ／ＣＣＤ兼用Ｘ線パノラマ／ＣＴ撮影装置の例を示している。尚、この発明の頭部固定装置は、兼用装置に限らず、セファロＸ線撮影、歯科用パノラマ断層撮影、断層撮影、ＣＴ撮影、頭部規格写真撮影装置等に用いられる装置など規格化並びに再現性の高い装置に全て適用できるものである。
【００２４】
図１ないし図３に示すように、この装置は、ＦＰＤ（フラットパネル型光検出器）型センサー４と、図示しない短冊状のＣＣＤセンサーを併用し、ＦＰＤ型センサー４で主にＣＴ装置を主体として撮影し、また、短冊状のＣＣＤセンサーで、パノラマ撮影と、セファロ撮影を行うパノラマ・セファロ・ＣＴ兼用装置である。
【００２５】
図２及び図３に示すように、支柱６に取り付けた上下摺動部５から水平方向に延びるアーム５０の端部に、セファロ撮影手段８が設けられている。このセファロ撮影手段８側に装着して拡大率１．１倍のセファロ撮影を行うパノラマ・セファロ兼用Ｘ線撮影装置には、短冊状のＣＣＤセンサーを標準として使用する他、装置の選択としてＦＰＤ型の大型のセンサーを使用することで撮影時間の短縮を行うことも可能である。
【００２６】
図１ないし図３においては、省略しているが、センサーからの信号は、ケーブルを介してパーソナルコンピュータ（ＰＣ）などからなる撮影用のコンピュータ装置に与えられ、コンピュータ装置で画像化され、表示装置にＸ線画像が表示される。
【００２７】
この装置は、パノラマ撮影装置側に設けられたパノラマ撮影用の頭部固定装置１に被検者の頭部を位置付け固定し、旋回アーム２に対向配置された一台の短冊状のＣＣＤセンサー４と、Ｘ線発生器３を用いて前記旋回アーム２がパノラマ撮影用の旋回運動をすることによってパノラマ撮影を行う。また、前記センサー部４をパノラマ撮影側から取り外して、上下摺動部５から水平方向に延びるアーム５０の端部に設けられたＣＴ撮影またはセファロ撮影手段８側に取り付ける。そして、セファロ撮影のために用いるＸ線撮影用頭部固定装置９に前記同様に被検者の頭部を位置付け固定して拡大率１．１倍のセファロ撮影を行う。
【００２８】
イヤーロッド部９ａは、規格化並びに再現性をセファロ撮影のために用いる頭部固定装置９には常用される。また、パノラマ撮影の場合は、その撮影モードによって、被写体頭部の位置付けに規格性を必要とする顎関節２分割撮影・顎関節４分割撮影等の撮影時にイヤーロッド部１ａを用いて、被検者の頭部を安定的にまた、必要に応じて規格性を持たせてパノラマ撮影用の頭部固定装置１が用いられる。
【００２９】
パノラマ撮影用の頭部固定装置１と、セファロ撮影用の頭部固定装置９に、それぞれ設けられているイヤーロッド部１ａおよびイヤーロッド部９ａは、後述するように、被検者の外耳孔に嵌め込まれるイヤ−ロッド１４、９４が、イヤーロッド部１ａ、９ａから取り外し自在に装着されている。また、これらイヤーロッド１４、９４は、頭部を固定している際には、所定の負荷の状態では外れず、イヤーロッド１４、９４に一定以上の負荷、例えば、１Ｋｇ程度の負荷がかかるとイヤーロッド部１ａ、９ａから脱落するように構成されている。
【００３０】
Ｘ線撮影用頭部固定装置１、９について、図４ないし図１１を参照して説明する。まず、セファロ撮影用の頭部固定装置９について、図４ないし図８を参照して説明する。
【００３１】
図４は、この発明に係わるイヤーロッドを用いたセファロ撮影用の頭部固定装置を示す正面図、図５は同側面図である。
【００３２】
図４及び図５に示すように、パノラマ・ＣＴ撮影装置側の上下摺動部５から水平方向に延びるアーム５０の端部に、セファロ撮影手段８が設けられ、そのセファロ撮影手段８には、被検者の頭部を安定的に且つ、規格性を持たせて位置付け固定するための頭部固定装置９が設けられている。
【００３３】
セファロ撮影に際してその撮影モードが選択されると、セファロ撮影の為に予め設定された位置関係にアームの前後位置及びその角度に、Ｘ線発生器３０の水平回転角度等のセファロ撮影に必要な位置関係が自動的に設定される。
【００３４】
前記頭部固定装置９に設けられた左右のイヤーロッド部９ａは、開閉可能、すなわち、被検者の両側頭部にそれぞれ近接、離反可能に取り付けられ、Ｘ線発生器３０と、左右のイヤーロッド部９ａの中心を結ぶ直線に直交する垂直線（被検者Ｏの両外耳孔と正中線の交点）を中心として通常被検者の正面像および側面像を撮影できるように少なくとも９０度回転できるように構成されている。また、この時の撮影は、拡大率１．１倍のセファロ撮影を行うことができるように構成されている。
【００３５】
図４及び図５において、上記したイヤーロッド部９ａは、被検者Ｏの正中部に対して左右対称に開閉自在にそれぞれ、一対の支持アーム９０と、イヤーロッド９４で構成されている。イヤーロッド９４は、図６に示すように、支持アーム９０に挿入されて接着固定されるロッドベース９２に取り外し自在に装着される。支持アーム９０は、発泡剤からなるコア材９０ａをＸ線透過性が高い炭素繊維強化プラスチック板９０ｂで挟んで構成され、この支持アーム９０の遊端部に、メタクリル等の透明合成樹脂で形成されたロッドベース９２が接着固定されている。
【００３６】
ロッドベース９２のイヤーロッド側は、イヤーロッドの先端側に向かってテーパ状に広がるフランジ部９３が設けられている。イヤーロッド９４の基部は、このフランジ部９３に係合するようにテーパ状に形成されている。イヤーロッド９４の材質は、一般的には、汎用エンジニアリングプラスチックが使用され、例えば、ポリサルフォン、ポリカーボネート、ポリアミド、ポリアセタール、ポリブチレンテレフタレート、ポリエチレンテレフタレート等が用いられる。
【００３７】
このイヤーロッド９４をロッドベース９２に装着すると、被検者の動きを規制するだけの強度を有するように両者は係合する。しかし、イヤーロッド９４に一定以上の負荷、例えば、１Ｋｇ程度の負荷がかかると、図８に示すように、ロッドベース９２とイヤーロッド９４との係合は外れ、ロッドベース９２からイヤーロッド９４が脱落または取り外すことができる。イヤーロッド９４の材料として上記した汎用エンジニアリングプラスチックを用いれば、イヤーロッド９４を取り外し、煮沸消毒が容易に行える。
【００３８】
煮沸消毒等により消毒されたイヤーロッド９４をイヤーロッド部９ａに装着することにより、被検者に対しては消毒された清潔なイヤーロッド９４が外耳孔に挿入されることになる。
【００３９】
また、使用後は、イヤーロッド９４をイヤ−ロッド部９ａから取り外し、その後、煮沸消毒を行えば、廃棄することなく再利用ができ、経済的である。
【００４０】
更に、使用時に、負荷が１Ｋｇ程度かかると、イヤーロッド９４はイヤーロッド部９ａから脱落するように構成されている。このため、突発的な事例が生じた場合に於いても、イヤーロッド９４が外れるので、被検者の意志で頭部固定装置９から脱出することができ、被検者にダメージを与えることがない。
【００４１】
尚、この頭部固定装置９に開閉自在に設けられた左右のイヤーロッド部９ａには、セファロ撮影画像の際の基準となるために左右のイヤーロッド９４の先端部にチタン球等のマーカー９６が設けられている。
【００４２】
次に、パノラマ撮影用の頭部固定装置１について、図９ないし図１１を参照して説明する。
【００４３】
図９及び図１０に示すように、基台部２０には、被検者(患者)の外耳孔に挿入し、被検者を安定的に規格性と再現性を維持して位置付けするために開閉自在に設けられた図示しない開閉手段に、着脱自在に設けられたイヤーロッド部１ａ、そのイヤーロッド部１ａを開閉するためのツマミハンドル２１が設けられている。更に、基台部２０には、上下摺動可能に設けられた被検者の顎用レスト２２、また、一部しか図示していないが、必要に応じて基台部２０に対して着脱自在に設けられた被検者の前頭部または、眉間（ナジオン）を支持するための支持手段２３、被検者用取手２４、被検者の位置付けに必要な電気的操作部２７、パノラマ撮影時の前歯部の基準位置を指示するための照準用レーザービーム２８ａ、被検者の正中ラインを指示するためのレーザービーム２８、被検者の側頭部押さえ２９が設けられている。
【００４４】
上記したイヤーロッド部１ａは、被検者正中部に対して左右対称に開閉自在にそれぞれ、一対の支持アーム１０と、イヤーロッド１４で構成されている。イヤーロッド１４は、図１１に示すように支持アーム１０に挿入されて接着固定されるロッドベース１２に取り外し自在に装着される。支持アーム１０は、発泡剤からなるコア材１０ａをＸ線透過性が高い炭素繊維強化プラスチック１０ｂで挟んで構成され、この支持アーム１０の遊端部に、メタクリル等の透明合成樹脂で形成されたロッドベース１２が接着固定されている。
【００４５】
前述と同様に、ロッドベース１２のイヤーロッド側はイヤーロッド側に向かってテーパ状に広がるフランジ部１３が設けられている。イヤーロッド１４の基部は、このフランジ部１３に係合するようにテーパ状に形成されている。イヤーロッド１４の材質は、前述と同様である。
【００４６】
このイヤーロッド１４をロッドベース１２に装着すると、被検者の動きを規制するだけの強度を有するように両者は係合する。しかし、イヤーロッド１４に一定以上の負荷、例えば、１Ｋｇ程度の負荷がかかるとロッドベース１２とイヤーロッド１４との係合は外れ、ロッドベース１２からイヤーロッド１４が脱落または取り外すことができる。これら汎用エンジニアリングプラスチックを用いれば、イヤーロッド１４を取り外し、煮沸消毒が容易に行える。
【００４７】
煮沸消毒等により消毒されたイヤーロッド１４をイヤーロッド部１ａに装着することにより、被検者に対しては消毒された清潔なイヤーロッド１４が外耳孔に挿入されることになる。
【００４８】
また、使用後はイヤ−ロッド部１ａから取り外し、その後、煮沸消毒を行えば、廃棄することなく再利用ができ、経済的である。
【００４９】
更に、使用時には、負荷が１Ｋｇ程度かかると、イヤーロッド１４はイヤーロッド部１ａから脱落するように構成している。このため、突発的な事例が生じた場合に於いても、イヤーロッド１４が外れるので、被検者の意志で頭部固定装置から脱出することができ、被検者にダメージを与えることがない。
【００５０】
また、図示しない大型のＦＰＤ型センサーを用いたＣＴ撮影装置の頭部固定装置１に開閉自在に設けられた左右のイヤーロッド部１ａには、レイサム法によるセファロ撮影画像の再構成の際の基準となるために左右のイヤーロッド１４の先端部にチタン球等のマーカー１６が設けられている。
【００５１】
図１２は、この発明の第３の実施形態のイヤ−ロッドを示す断面図である。図１２に示す実施形態は、ロッドベース９２のフランジ部９３ａがテーパ状にはなっておらず、同じ径のフランジ形状である。そして、フランジ部９３ａの先端部近傍に溝が設けられ、この溝にゴム等の摩擦係数が大きいリング９３ｂが装着されている。このリング９３ｂにより、フランジ部９３ａにテーパを設けずに、所定の負荷になるまでは、イヤーロッド９４の脱落を防止している。
【００５２】
図１３は、この発明の第４の実施形態のイヤ−ロッドを示す断面図である。図１３に示す実施形態は、ロッドベース９２のフランジ部９３ｃがテーパ状にはなっておらず、同じ径のフランジ形状である。そして、イヤーロッド９４をフランジに差し込んだ後、リング９３ｄでイヤーロッド９４をフランジ部９３ｃ側へ押付け、このリング９３ｄにより、所定の負荷になるまでは、イヤーロッド９４の脱落を防止している。
【００５３】
また、イヤ−ロッドのフランジへの装着を容易にするために、スリット等を設け、イヤ−ロッドに弾性を付与するように構成しても良い。
【００５４】
図１４は、この発明の頭部固定装置が用いられる頭部規格写真撮影装置４０の平面図、図１５は同側面図である。
【００５５】
図１４及び図１５に示すように、この装置４０は、被検者が座る椅子４２の上部に、被検者の頭部規格化写真を撮影するために、頭部固定装置４１が設けられている。この頭部固定装置４１は、被検者の頭部に対して開閉自在に取り付けられた左右一対の支持アーム９０’にイヤーロッド９４’が取り外し自在に装着されている。すなわち、この支持アーム９０’の遊端部にロッドベース９２’が接着固定され、このロッドベース９２’にイヤーロッド９４’が取り外し自在に装着される。この支持アーム９０’、ロッドベース９２’、イヤーロッド９４’は、前述した、図６、図１２または図１３に示す構造と同様に構成されている。イヤーロッド９４’は、頭部を固定している際には、所定の負荷の状態では外れず、イヤーロッド９４’に一定以上の負荷、例えば、１Ｋｇ程度の負荷がかかると支持アーム９０’から脱落するように構成されている。
【００５６】
このように、頭部規格写真撮影装置４０において、前述と同様な構成で左右の支持アーム９０’と、イヤーロッド９４’を設けるように構成することで、規格性を維持し、さらに安全性が高まり操作性の向上を図ることができる。
【００５７】
今回開示された実施の形態はすべての点で例示であって制限的なものではないと考えられるべきである。この発明の範囲は、上記した実施の形態の説明ではなくて特許請求の範囲によって示され、特許請求の範囲と均等の意味および範囲内でのすべての変更が含まれることが意図される。
【符号の説明】
【００５８】
１、９，４１  頭部固定装置
１ａ、９ａ，  イヤーロッド部
１０、９０，９０’支持アーム
１２、９２，９２’  ロッドベース
１３、９３  フランジ部
１４、９４，９４’  イヤーロッド
【図１】
2015037708.tif 000003
【図２】
2015037708.tif 000004
【図３】
2015037708.tif 000005
【図４】
2015037708.tif 000006
【図５】
2015037708.tif 000007
【図６】
2015037708.tif 000008
【図７】
2015037708.tif 000009
【図８】
2015037708.tif 000010
【図９】
2015037708.tif 000011
【図１０】
2015037708.tif 000012
【図１１】
2015037708.tif 000013
【図１２】
2015037708.tif 000014
【図１３】
2015037708.tif 000015
【図１４】
2015037708.tif 000016
【図１５】
2015037708.tif 000017
【図１６】
2015037708.tif 000018
【図１７】
2015037708.tif 000019
【図１８】
2015037708.tif 000020